(57)【要約】【課題】無線通信装置の消費電力を低減する。【解決手段】コンバータ４は、受信信号に含まれる予め測定されたスプリアスの周波数が所定の周波数となるようにＬＮＡ３から出力される受信信号をコンバートする。フィルタ５は、コンバータ４から出力される受信信号の所定の周波数の信号成分を除去する。これにより、受信信号をアナログ−デジタル変換するＡ／Ｄ変換器９は、スプリアスを考慮して入力ダイナミックレンジを大きくしなくて済み、消費電力を低減することができる。【選択図】図１
2011010122.tif 000002
【特許請求の範囲】
【請求項１】
無線通信を行う無線通信装置において、
受信信号に含まれる予め測定されたスプリアスの周波数が所定の周波数となるように前記受信信号をコンバートするコンバータと、
前記コンバータから出力される前記受信信号の前記所定の周波数の信号成分を除去するフィルタと、
を有することを特徴とする無線通信装置。
【請求項２】
前記受信信号の受信チャネルと前記スプリアスの周波数の周波数情報とを対応付けて記憶した記憶部と、
受信される前記受信信号の前記受信チャネルに基づいて前記記憶部の前記周波数情報を参照し、前記周波数情報に基づいて前記スプリアスの周波数が前記所定の周波数となるように前記コンバータの周波数を制御する制御部と、
をさらに有することを特徴とする請求項１記載の無線通信装置。
【請求項３】
前記記憶部は、さらに前記スプリアスの発生有無の発生情報を前記受信チャネルと対応付けて記憶し、
前記制御部は、受信される前記受信信号の前記受信チャネルに基づいて前記記憶部の前記発生情報を参照し、前記発生情報に基づいて前記コンバータへの電源供給を制御することを特徴とする請求項２記載の無線通信装置。
【請求項４】
前記フィルタは、減衰量の異なる複数のフィルタ回路を有し、
前記記憶部は、さらに前記スプリアスの減衰すべき減衰量情報を前記受信チャネルと対応付けて記憶し、
前記複数のフィルタ回路から出力される前記受信信号を選択して出力する選択部をさらに備え、
前記制御部は、受信される前記受信信号の前記受信チャネルに基づいて前記記憶部を参照し、前記減衰量情報に基づいた前記受信信号が出力されるように前記選択部を制御することを特徴とする請求項２記載の無線通信装置。
【請求項５】
前記コンバータと前記フィルタは、直列に複数接続され、
前記制御部は、前記記憶部に記憶される前記周波数情報が１つの前記受信チャネルに対して複数存在する場合、複数直列接続されたそれぞれの前記コンバータの周波数を制御することを特徴とする請求項２記載の無線通信装置。
【請求項６】
無線通信を行う無線通信装置のスプリアス除去方法において、
受信信号に含まれる予め測定されたスプリアスの周波数が所定の周波数となるように前記受信信号をコンバートし、
コンバータされた前記受信信号の前記所定の周波数の信号成分を除去する、
ことを特徴とするスプリアス除去方法。
【発明の詳細な説明】
【技術分野】
【０００１】
本件は受信信号に含まれるスプリアスを除去する無線通信装置およびスプリアス除去方法に関する。
【背景技術】
【０００２】
近年、無線通信では高速・大容量のデータ伝送が要求され、無線通信装置では、高品質の受信信号が要求される。そのため、無線通信装置内で発生するノイズの除去は、無線通信装置において重要な技術の１つとなる。
【０００３】
図１７は、無線通信装置の回路図である。図１７に示すように、無線通信装置は、アンテナ１０１、ＢＰＦ（Band Pass Filter）１０２、ＬＮＡ（Low Noise Amplifier）１０３、ミキサ１０４、シンセサイザ１０５、ＬＰＦ（Low Pass Filter）１０６、Ａ／Ｄ（Analog to Digital）変換器１０７、およびデジタルフィルタ１０８を有している。
【０００４】
ＢＰＦ１０２は、アンテナ１０１で受信されたＲＦ（Radio Frequency）信号のイメージ成分を除去する。ＬＮＡ１０３は、ＢＰＦ１０２でイメージ成分が除去された受信信号を増幅する。
【０００５】
ミキサ１０４は、ＬＮＡ１０３によって増幅された受信信号に、シンセサイザ１０５から出力される信号を乗算し、受信信号の周波数（ＲＦ）をベースバンド帯域に直接ダウンコンバートする（ダイレクトコンバージョン方式）。
【０００６】
シンセサイザ１０５は、受信信号の周波数をベースバンド帯域にダウンコンバートするための信号をミキサ１０４に出力する。シンセサイザ１０５は、例えば、ＶＣＯ（Voltage Controlled Oscillator）を有するＰＬＬ（Phase Locked Loop）回路である。
【０００７】
ＬＰＦ１０６は、ミキサ１０４によってダウンコンバートされた受信信号（ベースバンド信号）の低域周波数成分のみ通過させ、ベースバンド信号として不要な高域周波数成分を除去する。Ａ／Ｄ変換器１０７は、ＬＰＦ１０６から出力されるアナログのベースバンド信号をデジタルのベースバンド信号に変換し、デジタルフィルタ１０８へ出力する。
【０００８】
Ａ／Ｄ変換器１０７から出力されるベースバンド信号には、スプリアスが含まれる場合がある。スプリアスの原因は、例えば、シンセサイザ１０５の有するＶＣＯや、無線通信装置内のデジタル回路のクロックを供給する発振器などから発生する信号の一部が、ＬＮＡ１０３やミキサ１０４に回り込み、ベースバンド帯域にダウンコンバートされて発生する。
【０００９】
デジタルフィルタ１０８は、Ａ／Ｄ変換器１０７から出力されるベースバンド信号に含まれるスプリアスを除去する。デジタルフィルタ１０８は、スプリアスを除去したベースバンド信号を、後段のベースバンド処理部へ出力する。ベースバンド処理部では、ベースバンド信号を復調し、送信側の無線通信装置の送信したデータを得る。
【００１０】
ＬＮＡ１０３やミキサ１０４などのアナログ部で発生するスプリアスを、デジタル部のデジタルフィルタ１０８で除去する場合、スプリアスによるＡ／Ｄ変換器１０７の飽和を防止する必要がある。スプリアスによって、Ａ／Ｄ変換器１０７が飽和すると、Ａ／Ｄ変換器１０７から出力されるベースバンド信号に歪みが生じるからである。そのため、Ａ／Ｄ変換器１０７がスプリアスによって飽和しないように、Ａ／Ｄ変換器１０７の入力ダイナミックレンジを大きくし、Ａ／Ｄ変換器１０７の後段のデジタルフィルタ１０８でスプリアスを除去する。
【００１１】
なお、入力信号帯域内に突発的に混入してくる挟帯域干渉波を迅速に検出して干渉波の存在する信号周波数帯域の一部を帯域阻止フィルタで除去する技術が知られている（例えば、特許文献１参照）。また、低チャンネルの周波数信号の、ｎ倍の高調波による妨害を防ぎ、歪性能を改善する技術が知られている（例えば、特許文献２参照）。
【先行技術文献】
【特許文献】
【００１２】
【特許文献１】特開平３−２３１５４４号公報
【特許文献２】特開２００１−２８５３７９号公報
【発明の概要】
【発明が解決しようとする課題】
【００１３】
しかし、Ａ／Ｄ変換器の入力ダイナミックレンジを大きくすると、Ａ／Ｄ変換器における消費電力が増大するという問題点があった。
本件はこのような点に鑑みてなされたものであり、消費電力を低減できる無線通信装置およびスプリアス除去方法を提供することを目的とする。
【課題を解決するための手段】
【００１４】
上記課題を解決するために、無線通信を行う無線通信装置が提供される。この無線通信装置は、受信信号に含まれる予め測定されたスプリアスの周波数が所定の周波数となるように前記受信信号をコンバートするコンバータと、前記コンバータから出力される前記受信信号の前記所定の周波数の信号成分を除去するフィルタと、を有する。
【発明の効果】
【００１５】
開示の無線通信装置によれば、消費電力を低減することができる。
【図面の簡単な説明】
【００１６】
【図１】第１の実施の形態に係る無線通信装置のブロック図である。
【図２】ＲＦ周波数の中心周波数より高域側にスプリアスが発生した場合の周波数コンバートを説明する図である。
【図３】ＲＦ周波数の中心周波数より低域側にスプリアスが発生した場合の周波数コンバートを説明する図である。
【図４】第２の実施の形態に係る無線通信装置のブロック図である。
【図５】記憶部のデータ構成例を示した図である。
【図６】周波数コンバートを説明する図である。
【図７】制御部の動作を示したフローチャートである。
【図８】第３の実施の形態に係る無線通信装置のブロック図である。
【図９】記憶部のデータ構成例を示した図である。
【図１０】制御部の動作を示したフローチャートである。
【図１１】第４の実施の形態に係る無線通信装置のブロック図である。
【図１２】記憶部のデータ構成例を示した図である。
【図１３】周波数コンバートを説明する図である。
【図１４】制御部の動作を示したフローチャートである。
【図１５】第５の実施の形態に係る無線通信装置のブロック図である。
【図１６】制御部の動作を示したフローチャートである。
【図１７】無線通信装置の回路図である。
【発明を実施するための形態】
【００１７】
以下、第１の実施の形態を、図面を参照して詳細に説明する。
図１は、第１の実施の形態に係る無線通信装置のブロック図である。図１に示す無線通信装置は、例えば、携帯電話であり、Ｗ−ＣＤＭＡ（Wideband Code Division Multiple Access）やＬＴＥ（Long Term Evolution）の通信方式によって無線通信を行う。無線通信装置は、図１に示すように、アンテナ１、ＢＰＦ２、ＬＮＡ３、コンバータ４、フィルタ５、ミキサ６、シンセサイザ７、ＬＰＦ８、Ａ／Ｄ変換器９、およびデジタルフィルタ１０を有している。
【００１８】
ＢＰＦ２は、アンテナ１で受信されたＲＦ信号のイメージ成分を除去する。ＬＮＡ３は、ＢＰＦ２でイメージ成分が除去された受信信号を増幅する。
コンバータ４は、予め測定されたスプリアスの周波数が所定の周波数となるように受信信号をコンバートする。例えば、コンバータ４は、受信信号の周波数を、スプリアスの周波数が所定の周波数となるように、所定のＩＦ（Intermediate Frequency）にダウンコンバートする。スプリアスの測定は、例えば、無線通信装置の試作時等において測定する。
【００１９】
具体的には、コンバータ４は、受信信号に含まれるスプリアスの周波数が３００ＭＨｚになるように、受信信号をダウンコンバートする。無線通信装置で発生するスプリアスの周波数は、予め測定されているので、受信信号をどのくらいダウンコンバートすればスプリアスの周波数が３００ＭＨｚになるか設定することができる。なお、ＢＰＦ２でのイメージ成分の除去を確実にするため、ＩＦは小さくしすぎないようにする。
【００２０】
フィルタ５は、例えば、アナログ回路で形成されるノッチフィルタであり、コンバータ４から出力される受信信号の、所定の周波数の信号成分を除去する。上記例の場合、フィルタ５は、受信信号の３００ＭＨｚの信号成分を除去する。これにより、コンバータ４から出力される受信信号から、スプリアスが除去される。
【００２１】
なお、スプリアスの周波数が所定の周波数となるように受信信号をコンバートするのは、フィルタ５で必要以上の信号成分が取り除かれないようにするためである。例えば、ノッチフィルタでダウンコンバートしない受信信号のスプリアスを除去すると、必要以上の信号成分も除去し、ベースバンド帯域のレベルが低減するからである。
【００２２】
ミキサ６は、フィルタ５によってスプリアスが除去されたＩＦの受信信号に、シンセサイザ７から出力される信号を乗算し、受信信号の周波数をベースバンド帯域にダウンコンバートする。
【００２３】
シンセサイザ７は、受信信号の周波数をベースバンド帯域にダウンコンバートするための信号をミキサ６に出力する。シンセサイザ７は、例えば、ＶＣＯを有するＰＬＬ回路である。
【００２４】
ＬＰＦ８は、ミキサ６によってダウンコンバートされた受信信号（ベースバンド信号）の低域周波数成分のみ通過させ、ベースバンド信号として不要な高域周波数成分を除去する。Ａ／Ｄ変換器９は、ＬＰＦ８から出力されるアナログのベースバンド信号をデジタルのベースバンド信号に変換し、デジタルフィルタ１０へ出力する。デジタルフィルタ１０は、Ａ／Ｄ変換器９から出力されるベースバンド信号の、フィルタ５で完全に除去しきれなかったスプリアスを除去する。デジタルフィルタ１０は、例えば、ＤＳＰ（Digital Signal Processor）である。
【００２５】
図２は、ＲＦ周波数の中心周波数より高域側にスプリアスが発生した場合の周波数コンバートを説明する図である。図２に示す帯域Ａ１は、ＬＮＡ３から出力される受信信号の帯域を示している。帯域Ａ２は、コンバータ４によってダウンコンバートされた受信信号の帯域を示している。帯域Ａ３は、ミキサ６によってダウンコンバートされた受信信号の帯域を示している。
【００２６】
図２の帯域Ａ１に示すように、ＬＮＡ３から出力される受信信号には、周波数ｆ１ＭＨｚにスプリアスＢ１が発生しているとする。
コンバータ４は、スプリアスＢ１の周波数ｆ１ＭＨｚが３００ＭＨｚとなるように、受信信号をダウンコンバートする。図２の例の場合、コンバータ４は、受信信号の周波数をｆ１ＭＨｚ−３００ＭＨｚダウンコンバートする。これにより、スプリアスＢ１の周波数ｆ１ＭＨｚは、スプリアスＢ２に示すように、３００ＭＨｚにダウンコンバートされる。なお、スプリアスＢ１の周波数ｆ１ＭＨｚは、予め測定されるので、コンバータ４のダウンコンバートすべき周波数は、予め設定できる。
【００２７】
フィルタ５は、受信信号の３００ＭＨｚの信号成分を除去する。これにより、フィルタ５からは、スプリアスＢ２が除去された受信信号が出力される。
ミキサ６は、フィルタ５によってスプリアスが除去されたＩＦの受信信号に、シンセサイザ７から出力される信号を乗算し、受信信号をベースバンド帯域にダウンコンバートする。受信信号に含まれるスプリアスＢ２は、フィルタ５によって除去されているので、図２の帯域Ａ３に示すように、ベースバンド帯域の受信信号には、スプリアスは含まれていない。
【００２８】
無線通信装置の受信する受信信号の周波数（ＲＦ）は既知であるので、ミキサ６の受信信号をダウンコンバートすべき周波数は予め知ることができる。例えば、無線通信装置の受信する受信信号の周波数を２１４０ＭＨｚとする。この場合、ＩＦにダウンコンバートされた受信信号の周波数は、３００ＭＨｚ−（ｆ１ＭＨｚ−２１４０ＭＨｚ）と知ることができる。これにより、ミキサ６の受信信号をダウンコンバートすべき周波数は予め設定することができる。
【００２９】
図３は、ＲＦ周波数の中心周波数より低域側にスプリアスが発生した場合の周波数コンバートを説明する図である。図３に示す帯域Ｃ１は、ＬＮＡ３から出力される受信信号の帯域を示している。帯域Ｃ２は、コンバータ４によってダウンコンバートされた受信信号の帯域を示している。帯域Ｃ３は、ミキサ６によってダウンコンバートされた受信信号の帯域を示している。
【００３０】
図３の帯域Ｃ１に示すように、ＬＮＡ３から出力される受信信号には、周波数ｆ２ＭＨｚにスプリアスＤ１が発生しているとする。
コンバータ４は、スプリアスＤ１の周波数ｆ２ＭＨｚが３００ＭＨｚとなるように、受信信号をダウンコンバートする。図３の例の場合、コンバータ４は、受信信号の周波数をｆ２ＭＨｚ−３００ＭＨｚダウンコンバートする。これにより、スプリアスＤ１の周波数ｆ２ＭＨｚは、スプリアスＤ２に示すように、３００ＭＨｚにダウンコンバートされる。なお、スプリアスＤ１の周波数ｆ２ＭＨｚは、予め測定されるので、コンバータ４のダウンコンバートすべき周波数は、予め設定できる。
【００３１】
フィルタ５は、受信信号の３００ＭＨｚの信号成分を除去する。これにより、フィルタ５からは、スプリアスＤ２が除去された受信信号が出力される。
ミキサ６は、フィルタ５によってスプリアスが除去されたＩＦの受信信号に、シンセサイザ７から出力される信号を乗算し、受信信号の周波数をベースバンド帯域にダウンコンバートする。受信信号に含まれるスプリアスＤ２は、フィルタ５によって除去されているので、図３の帯域Ｃ３に示すように、ベースバンド帯域の受信信号には、スプリアスは含まれていない。
【００３２】
無線通信装置の受信する受信信号の周波数は既知であるので、ミキサ６の受信信号をダウンコンバートすべき周波数は予め知ることができる。例えば、無線通信装置の受信する受信信号の周波数を２１４０ＭＨｚとする。この場合、ＩＦにダウンコンバートされた受信信号の周波数は、３００ＭＨｚ＋（２１４０ＭＨｚ−ｆ２ＭＨｚ）と知ることができる。これにより、ミキサ６の受信信号をダウンコンバートすべき周波数は予め設定することができる。
【００３３】
Ａ／Ｄ変換器９に入力される受信信号には、図２、図３で説明したように、スプリアス成分が含まれない。従って、Ａ／Ｄ変換器９の入力ダイナミックレンジは、スプリアスを考慮して大きく設定しなくてよい。すなわち、Ａ／Ｄ変換器９の入力ダイナミックレンジは、受信信号の入力レベルを考慮して設定する。
【００３４】
このように、コンバータ４によって、予め測定されたスプリアスの周波数が所定の周波数となるように受信信号をダウンコンバートし、フィルタ５によって、受信信号の所定の周波数の信号成分を除去するようにした。これにより、受信信号をアナログ−デジタル変換するＡ／Ｄ変換器９の入力ダイナミックレンジを大きくしなくて済み、消費電力を低減することができる。
【００３５】
また、Ａ／Ｄ変換器９の前段のアナログ部でスプリアスを除去するので、Ａ／Ｄ変換器９の後段の、例えば、ＤＳＰなどのデジタル部によるスプリアスの除去処理を低減することができる。これにより、デジタル部は、高負荷でベースバンド処理を行うことが可能となり、高速・大容量に向けたデータ伝送が可能となる。
【００３６】
次に、第２の実施の形態について説明する。第２の実施の形態では、無線通信装置は、複数の受信チャネルの受信信号を受信し、各受信チャネルの受信信号に発生するスプリアスを除去するようにする。また、無線通信装置は、スプリアスの発生しない受信チャネルを受信する場合には、スプリアスを除去するための部位の動作を停止し、消費電力の低減を図る。
【００３７】
図４は、第２の実施の形態に係る無線通信装置のブロック図である。図４に示すように、無線通信装置は、ミキサ１１、シンセサイザ１２、ノッチフィルタ１３、ＢＰＦ１４、スイッチ１５、制御部１６、および記憶部１７を有している。図４において、図１と同じものには同じ符号を付し、その説明を省略する。
【００３８】
ミキサ１１およびシンセサイザ１２は、例えば、図１に示したコンバータ４に対応する。ミキサ１１は、ＬＮＡ３から出力される受信信号に、シンセサイザ１２から出力される信号を乗算し、受信信号に含まれるスプリアスの周波数が所定の周波数となるように受信信号をダウンコンバートする。シンセサイザ１２は、受信信号の周波数をＩＦにダウンコンバートするための信号をミキサ１１に出力する。シンセサイザ１２は、例えば、ＶＣＯを有するＰＬＬ回路である。
【００３９】
シンセサイザ１２は、制御部１６の制御によって、ミキサ１１に出力する信号の周波数を変えることができる。後述するが、これにより、無線通信装置は、受信チャネルの異なる（周波数帯域の異なる）受信信号を受信しても、各受信チャネルに応じて発生するスプリアスを受信信号から除去することができる。
【００４０】
ノッチフィルタ１３は、例えば、図１に示したフィルタ５に対応する。ノッチフィルタ１３は、例えば、アナログ回路で形成され、ミキサ１１から出力される受信信号の、所定の周波数成分を除去する。これにより、ミキサ１１から出力される受信信号から、スプリアスが除去される。
【００４１】
ＢＰＦ１４は、チャネル選択フィルタである。ＢＰＦ１４は、ノッチフィルタ１３から出力される受信信号に含まれるイメージ成分およびブロッキング成分を除去する。
スイッチ１５は、ＬＮＡ３の出力とミキサ６の入力との間をオン／オフする。スイッチ１５がオンした場合、ＬＮＡ３の出力とミキサ６の入力はショートし、ＬＮＡ３から出力される受信信号が直接、ミキサ６に入力される。
【００４２】
受信信号に含まれるスプリアスの周波数は、受信する受信信号の受信チャネルによって異なる。そこで、制御部１６は、無線通信装置の受信する受信信号の受信チャネルに応じて、シンセサイザ７，１２の出力する信号の周波数を制御する。制御部１６は、例えば、ＣＰＵ（Central Processing Unit）である。
【００４３】
例えば、制御部１６は、受信信号の受信チャネルが受信チャネルＡの場合、受信チャネルＡに含まれるスプリアスの周波数が３００ＭＨｚにダウンコンバートされるように、シンセサイザ１２の出力する信号の周波数を制御する。また、制御部１６は、ミキサ１１によってダウンコンバートされた受信チャネルＡの受信信号がベースバンド帯域にダウンコンバートされるように、シンセサイザ７の出力する信号の周波数を制御する。
【００４４】
また、受信信号に含まれるスプリアスは、受信する受信信号の受信チャネルによって、受信信号に含まれない場合がある。そこで、制御部１６は、スイッチ１５のオン／オフを制御し、ミキサ１１およびシンセサイザ１２への電源供給の有無によって、ミキサ１１およびシンセサイザ１２の動作を制御する。これにより、無線通信装置の消費電力を低減する。
【００４５】
例えば、制御部１６は、スプリアスが含まれない受信チャネルの受信信号が受信される場合、スイッチ１５をオンし、ミキサ１１およびシンセサイザ１２への電源供給を停止する。
【００４６】
記憶部１７は、例えば、フラッシュメモリや電源がバックアップされたＲＡＭ（Random Access Memory）などのメモリである。記憶部１７には、各受信チャネルにおけるスプリアスの情報が記憶されている。例えば、記憶部１７には、各チャネルのスプリアス発生の有無情報や、各チャネルの受信信号に発生するスプリアスの周波数の周波数情報などが記憶されている。
【００４７】
図５は、記憶部のデータ構成例を示した図である。図５に示すように、記憶部１７には、無線通信装置の受信する受信信号の受信チャネルＡ，Ｂ，…に対応して、スプリアス発生の有無に関する情報が記憶されている。また、受信チャネルＡ，Ｂ，…に対応して、スプリアスの発生する周波数の周波数情報が記憶されている。各受信チャネルＡ，Ｂ，…のスプリアスの周波数は、予め測定して記憶部１７に記憶される。
【００４８】
例えば、図５の例の場合、受信チャネルＡの受信信号には、スプリアスが発生し、その周波数は、ｆ１ＭＨｚであることが分かる。また、受信チャネルＢの受信信号には、スプリアスは発生しないことが分かる。
【００４９】
制御部１６は、無線通信装置の受信する受信信号の受信チャネルに基づいて記憶部１７を参照し、ミキサ１１およびシンセサイザ１２の受信信号をダウンコンバートする周波数を制御し、また、ミキサ１１およびシンセサイザ１２の動作の停止を制御する。また、制御部１６は、無線通信装置の受信する受信信号の受信チャネルに基づいて記憶部１７を参照し、ミキサ６およびシンセサイザ７の受信信号をダウンコンバートする周波数を制御する。
【００５０】
例えば、無線通信装置が受信チャネルＡの受信信号を受信する場合、制御部１６は、受信チャネルＡに基づいて記憶部１７を参照し、スプリアスの周波数ｆ１ＭＨｚが３００ＭＨｚにタウンコンバートされるように、シンセサイザ１２の出力する信号の周波数を制御する。制御部１６は、ミキサ１１によってＩＦにダウンコンバートされた受信信号を、ベースバンド帯域にダウンコンバートされるように、シンセサイザ７の出力する信号の周波数を制御する。
【００５１】
また、無線通信装置が受信チャネルＢの受信信号を受信する場合、制御部１６は、受信チャネルＢに基づいて記憶部１７を参照し、スイッチ１５をオンしてミキサ１１およびシンセサイザ１２への電源供給を停止するようにする。制御部１６は、ＬＮＡ３から出力される受信信号がベースバンド帯域にダウンコンバートされるようにシンセサイザ７の出力する信号の周波数を制御する。
【００５２】
なお、各受信チャネルＡ，Ｂ，…に発生するスプリアスの周波数は予め測定するので既知である。また、受信チャネルＡ，Ｂ，…の受信信号のＲＦは既知である。従って、制御部１６は、記憶部１７を参照することにより、各受信チャネルＡ，Ｂ，…の受信信号のＩＦにダウンコンバートすべき周波数およびベースバンド帯域にダウンコンバートすべき周波数を認識（算出）することができる。
【００５３】
図６は、周波数コンバートを説明する図である。図６に示す帯域Ｅ１は、ＬＮＡ３から出力される受信チャネルＡの受信信号の帯域を示している。帯域Ｅ２は、ＬＮＡ３から出力される受信チャネルＣの受信信号の帯域を示している。帯域Ｅ３は、ＬＮＡ３から出力される受信チャネルＤの受信信号の帯域を示している。スプリアスＦ１〜Ｆ３は、受信チャネルＡ，Ｃ，Ｄの受信信号に含まれるスプリアスを示している。
【００５４】
帯域Ｅ４は、ミキサ１１およびシンセサイザ１２によってダウンコンバートされた受信チャネルＡの受信信号の帯域を示している。スプリアスＦ４は、ダウンコンバートされた受信チャネルＡの受信信号に含まれるスプリアスを示している。帯域Ｅ５は、ミキサ６によってダウンコンバートされた受信チャネルＡの受信信号の帯域を示している。
【００５５】
無線通信装置は、受信チャネルＡの受信信号を受信するとする。制御部１６は、受信チャネルＡに基づいて記憶部１７を参照し、スプリアスＦ１の周波数ｆ１ＭＨｚが３００ＭＨｚとなるように、シンセサイザ１２の出力する信号の周波数を制御する。これにより、スプリアスＦ１は、スプリアスＦ４に示すように、３００ＭＨｚにダウンコンバートされる。なお、スプリアスＦ１の周波数ｆ１ＭＨｚは、予め測定されて記憶部１７に記憶されているので、制御部１６は、記憶部１７を参照することにより、シンセサイザ１２の出力する信号の周波数を制御することができる。
【００５６】
ノッチフィルタ１３は、受信信号の３００ＭＨｚの信号成分を除去する。これにより、ノッチフィルタ１３からは、スプリアスＦ４が除去された受信信号が出力される。
ミキサ６は、ノッチフィルタ１３によってスプリアスが除去されたＩＦの受信信号に、シンセサイザ７から出力される信号を乗算し、受信信号をベースバンド帯域にダウンコンバートする。受信信号に含まれるスプリアスＦ４は、ノッチフィルタ１３によって除去されているので、図６の帯域Ｅ５に示すように、ベースバンド帯域の受信信号には、スプリアスは含まれていない。
【００５７】
無線通信装置の受信する受信チャネルＡの受信信号の周波数は既知であるので、ミキサ６の受信信号をダウンコンバートすべき周波数は予め知ることができる。これにより、制御部１６は、ミキサ６の受信信号をダウンコンバートすべき周波数を設定することができる。受信チャネルＣ，Ｄの受信信号が受信される場合も上記と同様である。
【００５８】
図７は、制御部の動作を示したフローチャートである。ステップＳ１において、制御部１６は、受信される受信信号の受信チャネルに基づいて記憶部１７を参照し、受信信号がスプリアスの発生する受信チャネルであるか否か判断する。制御部１６は、受信信号がスプリアスの発生する受信チャネルであると判断した場合、ステップＳ２へ進む。制御部１６は、受信信号がスプリアスの発生しない受信チャネルであると判断した場合、ステップＳ４へ進む。
【００５９】
ステップＳ２において、制御部１６は、受信信号に含まれるスプリアスを除去するようにシンセサイザ１２の出力する信号の周波数を制御する。例えば、制御部１６は、受信信号の受信チャネルに基づいて記憶部１７を参照し、受信信号に含まれるスプリアスが、例えば、３００ＭＨｚにダウンコンバートされるように、シンセサイザ１２の出力する信号の周波数を制御する。
【００６０】
ステップＳ３において、制御部１６は、スプリアスが除去された受信信号がベースバンド帯域にダウンコンバートされるように、シンセサイザ７の出力する信号の周波数を制御する。制御部１６は、受信チャネルに基づいて記憶部１７を参照し、受信チャネルの受信信号がベースバンド帯域にダウンコンバートされるように、シンセサイザ７の出力する信号の周波数を制御する。
【００６１】
ステップＳ４において、制御部１６は、スイッチ１５をオンする。制御部１６は、ミキサ１１およびシンセサイザ１２に供給される電源を停止し、ミキサ１１およびシンセサイザ１２の動作を停止する。また、制御部１６は、受信される受信信号の受信チャネルに基づいて記憶部１７を参照し、ＬＮＡ３から出力される受信信号がベースバンド帯域にダウンコンバートされるように、シンセサイザ７の出力する信号の周波数を制御する。
【００６２】
このように、受信信号の受信チャネル、スプリアスの発生有無の発生情報、およびスプリアスの周波数の周波数情報を対応付けて記憶部１７に記憶する。そして、制御部１６は、受信される受信信号の受信チャネルに基づいて記憶部１７を参照し、ミキサ１１およびシンセサイザ１２の受信信号をダウンコンバートする周波数を制御するようにした。これにより、受信チャネルの異なる受信信号を受信してもスプリアスを除去することができる。
【００６３】
また、制御部１６は、受信される受信信号の受信チャネルに基づいて記憶部１７を参照し、ミキサ１１およびシンセサイザ１２の動作を制御するようにした。これにより、スプリアスの発生しない受信チャネルの受信信号を受信するときは、ミキサ１１およびシンセサイザ１２の動作を停止するので、消費電力を低減することができる。
【００６４】
なお、記憶部１７は、スプリアスの発生情報を記憶せず、スプリアスの周波数情報を記憶するようにしてもよい。そして、スイッチ１５を省略し、制御部１６は、ミキサ１１およびシンセサイザ１２の動作を制御しないようにしてもよい。これによっても、無線通信装置は、受信する受信信号の受信チャネルに応じて、スプリアスを除去することができ、Ａ／Ｄ変換器９による消費電力の増大を抑制することができる。以下で説明する実施の形態においても同様である。
【００６５】
次に、第３の実施の形態について説明する。受信信号に発生するスプリアスの大きさは、受信チャネルによって異なる。第３の実施の形態では、減衰量の異なるフィルタを複数備え、各受信チャネルの大きさの異なるスプリアスを除去する。
【００６６】
図８は、第３の実施の形態に係る無線通信装置のブロック図である。図８に示すように、無線通信装置は、ノッチフィルタ２１〜２３、選択部２４、制御部２５、および記憶部２６を有している。図８において、図４と同じものには同じ符号を付し、その説明を省略する。
【００６７】
図８の無線通信装置では、図４の無線通信装置に対し、複数のノッチフィルタ２１〜２３および選択部２４を有している。ノッチフィルタ２１〜２３は、信号を減衰する減衰量がそれぞれ異なる。例えば、ノッチフィルタ２２の減衰量は、ノッチフィルタ２２の減衰量より大きく、ノッチフィルタ２１の減衰量は、ノッチフィルタ２１の減衰量より大きいとする。すなわち、ノッチフィルタの２１の減衰量が最も大きく、ノッチフィルタ２３の減衰量が最も小さいとする。ノッチフィルタ２２の減衰量は、その中間とする。
【００６８】
ノッチフィルタ２１〜２３の信号を阻止する帯域は、それぞれ同じであり、例えば、３００ＭＨｚとする。ノッチフィルタ２１〜２３のそれぞれには、ミキサ１１から出力される受信信号が入力される。
【００６９】
選択部２４は、制御部２５の制御によって、ノッチフィルタ２１〜２３から出力される受信信号のいずれかを選択して、ＢＰＦ１４に出力する。
制御部２５は、無線通信装置の受信する受信信号の受信チャネルに応じて、選択部２４の出力を制御する。なお、制御部２５のその他の機能は、図４で示した制御部１６と同様である。
【００７０】
記憶部２６は、図４の記憶部１７と同様の情報を記憶し、さらに、各受信チャネルに対応して、スプリアスの減衰すべき減衰量の情報記憶している。
図９は、記憶部のデータ構成例を示した図である。図９に示すように、記憶部２６には、受信チャネルに対応して、スプリアスの減衰すべき減衰量の情報が記憶されている。スプリアスの減衰量の情報は、例えば、スプリアスのパワーの大きさを大中小の三段階に分け、各段階に応じた大中小の減衰量の情報が記憶される。
【００７１】
例えば、受信チャネルＡのスプリアスは、最もパワーの大きい段階に属するとする。この場合、図９に示すように、受信チャネルＡのスプリアスは、最も減衰されるように、減衰量大が記憶される。
【００７２】
なお、スプリアスの発生の有無、スプリアスの周波数情報については、図５と同様であり、その説明を省略する。
制御部２５は、受信される受信信号の受信チャネルに基づいて記憶部２６を参照し、選択部２４の出力を制御する。制御部２５は、記憶部２６の減衰量の情報に対応したノッチフィルタ２１〜２３の出力を選択するように選択部２４の出力を制御する。
【００７３】
例えば、受信チャネルＡの受信信号が受信された場合、制御部２５は、受信チャネルＡに基づいて記憶部２６を参照し、スプリアスの減衰量の情報を取得する。制御部２５は、取得した減衰量大の情報に基づいて、減衰量の最も大きいノッチフィルタ２１から出力される受信信号を出力するように選択部２４を制御する。
【００７４】
図１０は、制御部の動作を示したフローチャートである。ステップＳ１１において、制御部２５は、受信信号の受信チャネルに基づいて記憶部２６を参照し、受信信号がスプリアスの発生する受信チャネルであるか否か判断する。制御部２５は、受信信号がスプリアスの発生する受信チャネルであると判断した場合、ステップＳ１２へ進む。制御部２５は、受信信号がスプリアスの発生しない受信チャネルであると判断した場合、ステップＳ１５へ進む。
【００７５】
ステップＳ１２において、制御部２５は、受信信号の受信チャネルに基づいて記憶部２６を参照し、スプリアスの減衰量の情報を取得する。制御部２５は、取得した減衰量の情報に基づいて選択部２４を制御し、受信信号のスプリアスを減衰するノッチフィルタ２１〜２３の出力を選択する。
【００７６】
ステップＳ１３において、制御部２５は、受信信号に含まれるスプリアスを除去するようにシンセサイザ１２の出力する信号の周波数を制御する。例えば、制御部２５は、記憶部２６を参照し、受信チャネルの受信信号に含まれるスプリアスが、３００ＭＨｚにダウンコンバートされるように、シンセサイザ１２の出力する信号の周波数を制御する。
【００７７】
ステップＳ１４において、制御部２５は、スプリアスが除去された受信信号がベースバンド帯域にダウンコンバートされるように、シンセサイザ７の出力する信号の周波数を制御する。制御部２５は、記憶部２６を参照し、受信チャネルの受信信号がベースバンド帯域にダウンコンバートされるように、シンセサイザ７の出力する信号の周波数を制御する。
【００７８】
ステップＳ１５において、制御部２５は、スイッチ１５をオンする。制御部２５は、ミキサ１１およびシンセサイザ１２に供給される電源を停止し、ミキサ１１およびシンセサイザ１２の動作を停止する。また、制御部２５は、記憶部２６を参照し、ＬＮＡ３から出力される受信信号がベースバンド帯域にダウンコンバートされるように、シンセサイザ７の出力する信号の周波数を制御する。
【００７９】
このように、制御部２５は、受信される受信信号のスプリアスのパワーの大きさに応じて、減衰量の異なるノッチフィルタ２１〜２３の出力を選択する。これにより、スプリアスを適切に除去した受信信号を、Ａ／Ｄ変換器９に入力することができる。
【００８０】
次に、第４の実施の形態について説明する。第４の実施の形態では、受信信号に発生するスプリアスが複数存在する場合のスプリアスの除去について説明する。
図１１は、第４の実施の形態に係る無線通信装置のブロック図である。図１１に示すように、無線通信装置は、ミキサ３１、シンセサイザ３２、ノッチフィルタ３３、ＢＰＦ３４、制御部３５、および記憶部３６を有している。図１１において、図４と同じものには同じ符号を付し、その説明を省略する。
【００８１】
図１１の無線通信装置では、受信信号をＩＦにダウンコンバートする回路が２段、直列に接続されている。すなわち、ミキサ１１、シンセサイザ１２、ノッチフィルタ１３、およびＢＰＦ１４に、ミキサ３１、シンセサイザ３２、ノッチフィルタ３３、およびＢＰＦ３４が直列に接続されている。
【００８２】
受信信号には、スプリアスが複数含まれる場合がある。例えば、受信信号に２つのスプリアスが含まれる場合、前段のミキサ１１、シンセサイザ１２、ノッチフィルタ１３、およびＢＰＦ１４で１つのスプリアスを除去し、後段のミキサ３１、シンセサイザ３２、ノッチフィルタ３３、およびＢＰＦ３４でもう１つのスプリアスを除去する。
【００８３】
制御部３５は、前段のミキサ１１、シンセサイザ１２、ノッチフィルタ１３、およびＢＰＦ１４が１つのスプリアスを除去するように、シンセサイザ１２の出力する信号の周波数を制御する。また、制御部３５は、後段のミキサ３１、シンセサイザ３２、ノッチフィルタ３３、およびＢＰＦ３４がもう１つのスプリアスを除去するように、シンセサイザ３２の出力する信号の周波数を制御する。ノッチフィルタ１３，３３の信号成分を除去する周波数は同じであり、例えば、３００ＭＨｚである。なお、図１１では、２段しか示していないが、受信信号に発生するスプリアスの数に応じて２段以上接続する。
【００８４】
制御部３５は、記憶部３６を参照して、シンセサイザ１２，３２の出力する信号の周波数を制御する。記憶部３６には、各受信チャネルに対応して、受信信号にスプリアスが発生する数を示すスプリアス発生数情報と、スプリアスの周波数情報とを記憶している。
【００８５】
図１２は、記憶部のデータ構成例を示した図である。図１２に示すように、記憶部３６には、受信チャネルに対応して、その受信チャネルの受信信号に含まれるスプリアスの発生数と、スプリアスの周波数とが記憶されている。例えば、図１２の例の場合、受信チャネルＣの受信信号には、スプリアスが‘２’発生し、それぞれのスプリアスの周波数は、ｆ１１，ｆ１２であることが分かる。
【００８６】
制御部３５は、１つの受信チャネルに対してスプリアスの周波数情報が複数存在する場合、複数直列接続されたそれぞれのコンバータのダウンコンバートする周波数を制御する。例えば、制御部３５は、受信される受信信号の受信チャネルが受信チャネルＣの場合、記憶部３６を参照し、スプリアスの発生数‘２’を取得する。また、制御部３５は、スプリアスの周波数ｆ１１，ｆ１２を取得する。制御部３５は、取得した情報に基づいて、シンセサイザ１２，３２の出力する信号の周波数を制御する。また、制御部３５は、受信信号をベースバンド帯域にダウンコンバートするようにシンセサイザ７の出力する信号の周波数を制御する。
【００８７】
なお、受信される受信信号の受信チャネルが受信チャネルＡの場合、制御部３５は、後段のミキサ３１、シンセサイザ３２、ノッチフィルタ３３、およびＢＰＦ３４では、受信信号の周波数をダウンコンバートしないようにシンセサイザ３２の出力する信号を制御する。また、図１２の例の場合、受信チャネルＤは、スプリアスが５個発生するので、受信信号をダウンコンバートしてスプリアスを除去するコンバータは少なくとも５段必要である。
【００８８】
図１３は、周波数コンバートを説明する図である。図１３に示す帯域Ｇ１は、ＬＮＡ３から出力される受信チャネルＣの受信信号の帯域を示している。図１３の帯域Ｇ１に示すように、ＬＮＡ３から出力される受信信号には、周波数ｆ１１ＭＨｚ，ｆ１２ＭＨｚにスプリアスＨ１，Ｈ２が発生しているとする。
【００８９】
ミキサ１１およびシンセサイザ１２は、スプリアスＨ１の周波数ｆ１１ＭＨｚが３００ＭＨｚとなるように、受信信号をダウンコンバートする。図１３の例の場合、ミキサ１１およびシンセサイザ１２は、受信信号の周波数をｆ１１ＭＨｚ−３００ＭＨｚダウンコンバートする。これにより、スプリアスＨ１の周波数ｆ１１ＭＨｚは、スプリアスＨ３に示すように、３００ＭＨｚにダウンコンバートされる。
【００９０】
なお、スプリアスＨ１の周波数ｆ１１ＭＨｚは、予め測定されているので、ミキサ１１およびシンセサイザ１２のダウンコンバートすべき周波数は、予め設定できる。
ノッチフィルタ１３は、受信信号の３００ＭＨｚの信号成分を除去する。これにより、ノッチフィルタ１３からは、スプリアスＨ３が除去された受信信号が出力される。
【００９１】
ミキサ３１およびシンセサイザ３２は、スプリアスＨ４の周波数３００ＭＨｚ＋（ｆ１２ＭＨｚ−ｆ１１ＭＨｚ）が３００ＭＨｚとなるように、受信信号をダウンコンバートする。図１３の例の場合、ミキサ１１およびシンセサイザ１２は、受信信号の周波数をｆ１２ＭＨｚ−ｆ１１ＭＨｚダウンコンバートする。これにより、スプリアスＨ４の周波数３００ＭＨｚ＋（ｆ１２ＭＨｚ−ｆ１１ＭＨｚ）は、３００ＭＨｚにダウンコンバートされる。
【００９２】
ノッチフィルタ３３は、受信信号の３００ＭＨｚの信号成分を除去する。これにより、ノッチフィルタ３３からは、スプリアスＨ４が除去された受信信号が出力される。
ミキサ６は、フィルタ５によってスプリアスが除去されたＩＦの受信信号に、シンセサイザ７から出力される信号を乗算し、受信信号の周波数をベースバンド帯域にダウンコンバートする。受信信号に含まれるスプリアスＨ３，Ｈ４は、ノッチフィルタ１３，３３によって除去されているので、図１３の帯域Ｇ３に示すように、ベースバンド帯域の受信信号には、スプリアスは含まれていない。なお、無線通信装置の受信する受信信号の周波数（ＲＦ）は既知であるので、ミキサ６の受信信号をダウンコンバートすべき周波数は予め知ることができる。
【００９３】
図１４は、制御部の動作を示したフローチャートである。ステップＳ２１において、制御部３５は、受信信号の受信チャネルに基づいて記憶部３６を参照し、受信信号がスプリアスの発生する受信チャネルであるか否か判断する。制御部３５は、受信信号がスプリアスの発生する受信チャネルであると判断した場合、受信信号の受信チャネルに基づいて記憶部３６を参照してスプリアス発生数情報を取得し、ステップＳ２２へ進む。制御部３５は、受信信号がスプリアスの発生しない受信チャネルであると判断した場合、ステップＳ２５へ進む。
【００９４】
ステップＳ２２において、制御部３５は、受信信号の受信チャネルに基づいて記憶部３６を参照し、１以上あるスプリアス周波数情報のうち、別のスプリアスの周波数情報を取得する。制御部３５は、取得した周波数情報に基づいて受信信号に含まれるスプリアスを除去するようにシンセサイザ１２，３２の出力する信号の周波数を制御する。
【００９５】
ステップＳ２３において、制御部３５は、ステップＳ２１にて取得したスプリアス発生情報から‘１’を減算する。
ステップＳ２４において、制御部３５は、スプリアス発生情報が‘０’になったか否か判断する。制御部３５は、スプリアス発生情報が‘０’になった場合、ステップＳ２５へ進む。制御部３５は、スプリアス発生情報が‘０’でない場合、ステップＳ２２へ進む。
【００９６】
ステップＳ２５において、制御部３５は、スプリアスが除去された受信信号がベースバンド帯域にダウンコンバートされるように、シンセサイザ７の出力する信号の周波数を制御する。制御部３５は、記憶部３６を参照し、受信チャネルの受信信号がベースバンド帯域にダウンコンバートされるように、シンセサイザ７の出力する信号の周波数を制御する。
【００９７】
ステップＳ２６において、制御部３５は、スイッチ１５をオンする。制御部３５は、ミキサ１１，３１およびシンセサイザ１２，３２に供給される電源を停止し、ミキサ１１，３１およびシンセサイザ１２，３２の動作を停止する。また、制御部３５は、記憶部３６を参照し、ＬＮＡ３から出力される受信信号がベースバンド帯域にダウンコンバートされるように、シンセサイザ７の出力する信号の周波数を制御する。
【００９８】
このように、受信信号をＩＦにダウンコンバートする回路を複数直列に接続する。そして、制御部３５は、記憶部３６に記憶される周波数情報が１つの受信チャネルに対して複数存在する場合、複数直列接続されたそれぞれの回路の周波数を制御する。これにより、受信信号に複数のスプリアスが含まれても適切に除去することができる。
【００９９】
次に、第５の実施の形態について説明する。第５の実施の形態では、受信系統を２系統（受信ダイバーシチ）有する無線通信装置の場合について説明する。無線通信装置は、受信ダイバーシチをオフした場合、未使用となるミキサをスプリアスのダウンコンバートに用いる。
【０１００】
図１５は、第５の実施の形態に係る無線通信装置のブロック図である。図１５において、図４と同じものには同じ符号を付し、その説明を省略する。なお、アンテナ４１、ＢＰＦ４２、ＬＮＡ４３、ＬＰＦ４４、Ａ／Ｄ変換器４５、およびデジタルフィルタ４６は、アンテナ１、ＢＰＦ２、ＬＮＡ３、ＬＰＦ８、Ａ／Ｄ変換器９、およびデジタルフィルタ１０と同様であり、その説明を省略する。
【０１０１】
図１５の無線通信装置は、アンテナ１、ＢＰＦ２、ＬＮＡ３、ミキサ６、シンセサイザ７、ＬＰＦ８、Ａ／Ｄ変換器９、およびデジタルフィルタ１０を有する受信系統で１つの受信ブランチを形成している。また、無線通信装置は、アンテナ４１、ＢＰＦ４２，ＬＮＡ４３、ミキサ５１、ＬＰＦ４４、Ａ／Ｄ変換器４５、およびデジタルフィルタ４６を有する受信系統で１つの受信ブランチを形成している。無線通信装置は、アンテナ１〜デジタルフィルタ１０の受信ブランチで受信動作し、また、アンテナ１〜デジタルフィルタ１０の受信ブランチとアンテナ４１〜デジタルフィルタ４６の受信ブランチとで受信動作（受信ダイバーシチ）することができる。
【０１０２】
無線通信装置は、アンテナ１〜デジタルフィルタ１０の１つの受信ブランチで動作する場合、他方の受信ブランチのミキサ５１が未使用となる。そこで、無線通信装置は、１つの受信ブランチで受信動作する場合、未使用のミキサ５１を、アンテナ１〜デジタルフィルタ１０の受信ブランチでのスプリアス除去に用いる。なお、無線通信装置は、２つの受信ブランチで動作する場合、スプリアス除去は、行わない。
【０１０３】
無線通信装置は、ミキサ５１、シンセサイザ５２，５３、制御部５４、記憶部５５、スイッチ６１〜６３を有している。
記憶部５５には、図５で説明した記憶部１７と同様の情報が記憶されている。制御部５４は、受信される受信信号の受信チャネルに基づいて記憶部１７を参照し、シンセサイザ７，５２の出力する信号の周波数を制御する。
【０１０４】
制御部５４は、アンテナ１〜デジタルフィルタ１０の受信ブランチのみで受信信号を受信する場合、受信信号をミキサ５１に出力し、シンセサイザ５２の信号をミキサ５１に出力し、ミキサ５１の出力をノッチフィルタ１３に出力するように制御する。また、制御部５４は、アンテナ１〜デジタルフィルタ１０の受信ブランチと、アンテナ４１〜デジタルフィルタ４６の受信ブランチとで受信信号を受信する場合、アンテナ４１〜デジタルフィルタ４６の受信ブランチで受信される受信信号をミキサ５１に出力し、シンセサイザ５３の信号をミキサ５１に出力するように制御する。
【０１０５】
具体的には、制御部５４は、１つの受信ブランチで動作する場合、スイッチ１５をオフする。制御部５４は、ＬＮＡ３とミキサ５１とを接続するようにスイッチ６１を制御する。制御部５４は、ミキサ５１とノッチフィルタ１３とを接続するようにスイッチ６２を制御する。制御部５４は、ミキサ５１とシンセサイザ５２とを接続するようにスイッチ６３を制御する。シンセサイザ５２は、予め測定されたスプリアスの周波数が所定の周波数にダウンコンバートされるようにするための信号を出力する。これにより、無線通信装置には、スプリアスを除去する１つの受信ブランチが形成される。
【０１０６】
また、制御部５４は、２つの受信ブランチで動作する場合、ＬＮＡ３とミキサ６とを接続するようにスイッチ１５をオンする。制御部５４は、ＬＮＡ４３とミキサ５１とを接続するようにスイッチ６１を制御する。制御部５４は、ミキサ５１とＬＰＦ４４とを接続するようにスイッチ６２を制御する。制御部５４は、シンセサイザ５３とミキサ５１とを接続するようにスイッチ６３を制御する。シンセサイザ５３は、受信信号がベースバンド帯域にダウンコンバートされるようにするための信号を出力する。これにより、無線通信装置には、２つの受信ブランチが形成される。
【０１０７】
図１６は、制御部の動作を示したフローチャートである。ステップＳ３１において、制御部５４は、受信ダイバーシチがオフであるか否か判断する。制御部５４は、受信ダイバーシチがオフの場合、すなわち、１つの受信ブランチで受信信号を受信する場合、ステップＳ３２へ進む。制御部５４は、受信ダイバーシチがオンの場合、すなわち、２つの受信ブランチで受信信号を受信する場合、ステップＳ３６へ進む。
【０１０８】
ステップＳ３２において、制御部５４は、受信信号の受信チャネルに基づいて記憶部５５を参照し、受信信号がスプリアスの発生する受信チャネルであるか否か判断する。制御部５４は、受信信号がスプリアスの発生する受信チャネルであると判断した場合、ステップＳ３３へ進む。制御部５４は、受信信号がスプリアスの発生しない受信チャネルであると判断した場合、ステップＳ３５へ進む。
【０１０９】
ステップＳ３３において、制御部５４は、スイッチ１５をオフする。制御部５４は、ＬＮＡ３とミキサ５１とを接続するようにスイッチ６１を制御する。制御部５４は、ミキサ５１とノッチフィルタ１３とを接続するようにスイッチ６２を制御する。制御部５４は、ミキサ５１とシンセサイザ５２とを接続するようにスイッチ６３を制御する。制御部５４は、受信信号に含まれるスプリアスを除去するようにシンセサイザ５２の出力する信号の周波数を制御する。制御部５４は、記憶部５５を参照し、受信チャネルの受信信号に含まれるスプリアスが、例えば、３００ＭＨｚにダウンコンバートされるように、シンセサイザ５２の出力する信号の周波数を制御する。
【０１１０】
ステップＳ３４において、制御部５４は、スプリアスが除去された受信信号がベースバンド帯域にダウンコンバートされるように、シンセサイザ７の出力する信号の周波数を制御する。制御部５４は、記憶部５５を参照し、受信チャネルの受信信号がベースバンド帯域にダウンコンバートされるように、シンセサイザ７の出力する信号の周波数を制御する。
【０１１１】
ステップＳ３５において、制御部５４は、スイッチ１５をオンする。制御部５４は、ミキサ５１およびシンセサイザ５２に供給される電源をオフし、ミキサ５１およびシンセサイザ５２の動作を停止する。また、制御部５４は、記憶部５５を参照し、ＬＮＡ３から出力される受信信号がベースバンド帯域にダウンコンバートされるように、シンセサイザ７の出力する信号の周波数を制御する。
【０１１２】
ステップＳ３６において、制御部５４は、ＬＮＡ３とミキサ６とを接続するようにスイッチ１５を制御する。制御部５４は、ＬＮＡ４３とミキサ５１とを接続するようにスイッチ６１を制御する。制御部５４は、ミキサ５１とＬＰＦ４４とを接続するようにスイッチ６２を制御する。制御部５４は、シンセサイザ５３とミキサ５１とを接続するようにスイッチ６３を制御する。これにより、無線通信装置には、２つの受信ブランチが形成され、アンテナ１，４１で受信された受信信号は、ミキサ６，５１によってベースバンド帯域にダウンコンバートされる。
【０１１３】
このように、２つの受信ブランチを有する場合において１つの受信ブランチをオフする場合、オフした受信ブランチのミキサを用いてスプリアス除去を行うようにした。これにより、回路規模の増大を抑制することができる。
【０１１４】
（付記１）  無線通信を行う無線通信装置において、
受信信号に含まれる予め測定されたスプリアスの周波数が所定の周波数となるように前記受信信号をコンバートするコンバータと、
前記コンバータから出力される前記受信信号の前記所定の周波数の信号成分を除去するフィルタと、
を有することを特徴とする無線通信装置。
【０１１５】
（付記２）  前記受信信号の受信チャネルと前記スプリアスの周波数の周波数情報とを対応付けて記憶した記憶部と、
受信される前記受信信号の前記受信チャネルに基づいて前記記憶部の前記周波数情報を参照し、前記周波数情報に基づいて前記スプリアスの周波数が前記所定の周波数となるように前記コンバータの周波数を制御する制御部と、
をさらに有することを特徴とする付記１記載の無線通信装置。
【０１１６】
（付記３）  前記記憶部は、さらに前記スプリアスの発生有無の発生情報を前記受信チャネルと対応付けて記憶し、
前記制御部は、受信される前記受信信号の前記受信チャネルに基づいて前記記憶部の前記発生情報を参照し、前記発生情報に基づいて前記コンバータへの電源供給を制御することを特徴とする付記２記載の無線通信装置。
【０１１７】
（付記４）  前記フィルタは、減衰量の異なる複数のフィルタ回路を有し、
前記記憶部は、さらに前記スプリアスの減衰すべき減衰量情報を前記受信チャネルと対応付けて記憶し、
前記複数のフィルタ回路から出力される前記受信信号を選択して出力する選択部をさらに備え、
前記制御部は、受信される前記受信信号の前記受信チャネルに基づいて前記記憶部を参照し、前記減衰量情報に基づいた前記受信信号が出力されるように前記選択部を制御することを特徴とする付記２記載の無線通信装置。
【０１１８】
（付記５）  前記コンバータと前記フィルタは、直列に複数接続され、
前記制御部は、前記記憶部に記憶される前記周波数情報が１つの前記受信チャネルに対して複数存在する場合、複数直列接続されたそれぞれの前記コンバータの周波数を制御することを特徴とする付記２記載の無線通信装置。
【０１１９】
（付記６）  第１の受信ブランチと
前記コンバータの有するミキサを有する第２の受信ブランチと、
前記スプリアスの周波数が前記所定の周波数にコンバートされるようにするための第１の信号を出力する第１の信号出力部と、
前記受信信号がベースバンド信号にコンバートされるようにするための第２の信号を出力する第２の信号出力部と、
前記第１の受信ブランチのみで前記受信信号を受信する場合、前記受信信号を前記ミキサに出力し、前記第１の信号を前記ミキサに出力し、前記ミキサの出力を前記フィルタに出力し、前記第１の受信ブランチと前記第２の受信ブランチとで前記受信信号を受信する場合、前記第２の受信ブランチで受信される前記受信信号を前記ミキサに出力し、前記第２の信号を前記ミキサに出力するように制御する制御部と、
をさらに有することを特徴とする付記１記載の無線通信装置。
【０１２０】
（付記７）  無線通信を行う無線通信装置のスプリアス除去方法において、
受信信号に含まれる予め測定されたスプリアスの周波数が所定の周波数となるように前記受信信号をコンバートし、
コンバータされた前記受信信号の前記所定の周波数の信号成分を除去する、
ことを特徴とするスプリアス除去方法。
【符号の説明】
【０１２１】
１  アンテナ
２  ＢＰＦ
３  ＬＮＡ
４  コンバータ
５  フィルタ
６  ミキサ
７  シンセサイザ
８  ＬＰＦ
９  Ａ／Ｄ変換器
１０  デジタルフィルタ
【図１】
2011010122.tif 000003
【図２】
2011010122.tif 000004
【図３】
2011010122.tif 000005
【図４】
2011010122.tif 000006
【図５】
2011010122.tif 000007
【図６】
2011010122.tif 000008
【図７】
2011010122.tif 000009
【図８】
2011010122.tif 000010
【図９】
2011010122.tif 000011
【図１０】
2011010122.tif 000012
【図１１】
2011010122.tif 000013
【図１２】
2011010122.tif 000014
【図１３】
2011010122.tif 000015
【図１４】
2011010122.tif 000016
【図１５】
2011010122.tif 000017
【図１６】
2011010122.tif 000018
【図１７】
2011010122.tif 000019